(57)【特許請求の範囲】
【請求項１】
車両用スライドドアの案内用としてガイドレールを内部に備えた戸袋部に係る排水構造であって、
車両側面の下縁に沿って前後方向に延び、車両側面に形成されたドア開口の下縁を形成するロッカー部と、
車両外側に向けて開口し、前記ガイドレールを内部に備えた戸袋部と、
前記戸袋部において前記ロッカー部よりも車両内側方向に外れた位置に形成された排水孔と、
前記戸袋部内から前記排水孔を経て車両外部に向けて排水する排水系統とを有し、
前記排水系統が、
前記戸袋部に対して前記排水孔と連通するように接続され、前記戸袋部に対して下方側に設けられたメンバー部材に連通した排水管と、
前記メンバー部材の下面側に形成された車両外部に連通する連通孔とを有するものであり、
前記メンバー部材は車両のフロアパネルの下面に取り付けられ、
前記排水管は、前記戸袋部の底面と前記フロアパネルとの隙間で下方に向けて突出する漏斗形状を形成する、ことを特徴とする戸袋排水構造。
【発明の詳細な説明】
【技術分野】
【０００１】
本発明は、車両用スライドドアの案内用としてガイドレールを内部に備えた戸袋部における排水を行うための戸袋排水構造に関する。
【背景技術】
【０００２】
従来、下記特許文献１に開示されているスライドドア付車両のように、スライドドアの案内用として設けられたガイドレールを備えた戸袋を有し、この戸袋内に溜まった雨水等を排出させるための排水構造を備えたものが提供されている。特許文献１に開示されている車両においては、スライドドアの案内用としてのガイドレールを内部に備えた戸袋部に溜まった雨水等を排水させるべく、ロッカー部をなすアウターパネルに水抜孔を設けた構成とされている。
【先行技術文献】
【特許文献】
【０００３】
【特許文献１】実公平２−４６４１０号公報
【発明の概要】
【発明が解決しようとする課題】
【０００４】
しかしながら、上記特許文献１に開示されているスライドドア付車両のようにアウターパネルに水抜孔を設けた場合には、車両が左右いずれかの方向に傾斜した状態（車幅方向一方側と他方側とで高低差が生じた状態）において、水抜孔とは反対側、すなわち戸袋部の奥側（車幅方向中央側）に雨水等が集まってしまい、水抜孔から排水できないという問題が生じる。
【０００５】
そこで、本発明は、車両が左右いずれかの方向に傾斜した状態においても、戸袋部からスムーズに排水させることが可能な戸袋排水構造の提供を目的とした。
【課題を解決するための手段】
【０００６】
上述した課題を解決すべく提供される本発明の戸袋排水構造は、車両用スライドドアの案内用としてガイドレールを内部に備えた戸袋部に係る排水構造であって、車両側面の下縁に沿って前後方向に延び、車両側面に形成されたドア開口の下縁を形成するロッカー部と、車両外側に向けて開口し、前記ガイドレールを内部に備えた戸袋部と、前記戸袋部において前記ロッカー部よりも車両内側方向に外れた位置に形成された排水孔と、前記戸袋部内から前記排水孔を経て車両外部に向けて排水する排水系統とを有することを特徴とするものである。
【０００７】
本発明の戸袋排水構造においては、ロッカー部よりも車両内側方向に外れた位置に排水孔が形成されており、排水孔に集まった排水を排水系統を介して車両外部に排出させうる。従って、本発明の戸袋排水構造を採用することにより、車両が左右いずれかの方向に傾斜した状態においても、戸袋部からスムーズに排水させることが可能となる。
【０００８】
また、本発明においては、戸袋部をロッカー部よりも車両内側（中央側）に向けて延設すること、すなわち戸袋部の奥行きを深くとることにより、排水孔を車両内側に偏った位置に設けることができる。そのため、本発明によれば、ロッカー部を車両内側方向に向けて拡大させることなく、戸袋部内における排水を確実に行わせることが可能となる。
【０００９】
上述した本発明の戸袋排水構造は、前記排水系統が、前記戸袋部に対して前記排水孔と連通するように接続され、前記戸袋部に対して下方側に設けられたメンバー部材に連通した排水管と、前記メンバー部材の下面側に形成された車両外部に連通する連通孔とを有するものであることが望ましい。また、前記メンバー部材は車両のフロアパネルの下面に取り付けられ、前記排水管は、前記戸袋部の底面と前記フロアパネルとの隙間で下方に向けて突出する漏斗形状を形成することが望ましい。
【００１０】
本発明においては、排水孔に連通するように設けられた排水管、及びメンバー部材を介して戸袋部内に溜まった雨水等をスムーズに排出することができる。また、メンバー部材を介在させることにより、車両外部から戸袋部側に向けて雨水や、小石あるいは埃等の異物が流入することを抑制できる。
【発明の効果】
【００１１】
本発明によれば、車両が左右いずれかの方向に傾斜した状態においても、戸袋部からスムーズに排水させることが可能な戸袋排水構造を提供することができる。
【図面の簡単な説明】
【００１２】
【図１】本発明の一実施形態に係る戸袋排水構造を採用した車両の側面図である。
【図２】本発明の一実施形態に係る戸袋排水構造を示す断面図である。
【発明を実施するための形態】
【００１３】
続いて、本発明の一実施形態に係る戸袋排水構造１０について、これを採用した車両Ａを例に挙げ、図面を参照しつつ詳細に説明する。図１に示すように、車両Ａは、後部座席側の側面にスライドドア２０を備えたものである。車両Ａの側面には、下縁に沿って前後方向に延びるようにロッカー部３０が形成されている。また、図２に示すように、ロッカー部３０は、アウタパネル３２と、インナパネル３４とを組み合わせることによって構成されている。ロッカー部３０は、アウタパネル３２が車両外側に向き、インナパネル３４が車幅方向中央側に向く姿勢とされて設置されている。
【００１４】
また、ロッカー部３０において、スライドドア２０が設けられた側（後部座席側）には戸袋部５０が設けられている。戸袋部５０は、車両Ａの外側に向けて開口した、断面形状略「コ」字型の外観形状を有するものでる。戸袋部５０の内側には、スライドドア２０の下端部を支持し案内するためのガイドレール５２が設置されている。
【００１５】
戸袋部５０は、上述したロッカー部３０をなすインナパネル３４よりも車幅方向中央側に向けて延設されている。言い換えれば、戸袋部５０の開口側から見て奥側に立設された戸袋縦壁５４は、インナパネル３４をなすインナ縦壁３６よりも車幅方向中央側に存在している。
【００１６】
戸袋部５０の底面５６であって、インナ縦壁３６が設けられた位置よりも奥側の領域（以下、「奥側領域５８」とも称す）には、排水孔６０が設けられている。本実施形態では、排水孔６０が戸袋縦壁５４に対して隣接する位置に設けられている。
【００１７】
また、排水孔６０には、排水管６２が接続されている。排水管６２は、漏斗形状の外観形状を有し、排水孔６０に集められた排水を集めて戸袋部５０から排出するために用いられる管である。排水管６２は、戸袋部５０の底面５６から下方に向けて突出するように設けられている。
【００１８】
上述したロッカー部３０及び戸袋部５０の下方には、戸袋部５０の底面５６に対して間隔をあけてフロアパネル７０が設けられている。また、フロアパネル７０の下面７２側には、メンバー部材８０が取り付けられている。また、メンバー部材８０の内部空間８２は、底面８４側に設けられた連通孔８６を介して車両Ａの外部と連通している。
【００１９】
上述した排水管６２は、フロアパネル７０を貫通し、メンバー部材８０の内部空間８２と連通するように設置されている。これにより、戸袋部５０内から排水孔６０、排水管６２、フロアパネル７０、及びメンバー部材８０を経て車両Ａの外部に排水する排水系統１００が形成されている。
【００２０】
上述したように、本実施形態の戸袋排水構造１０においては、ロッカー部３０よりも車両内側方向（車幅方向中央側）に外れた奥側領域５８内に排水孔８６が形成されている。これにより、仮に車両Ａが傾いた状態になったとしても、戸袋部５０に流入した雨水等を排水孔８６に集め、排水系統１００を介してスムーズに車両Ａの外部に排出させることができる。
【００２１】
本実施形態の戸袋排水構造１０においては、戸袋部５０の奥行きを深くとり、戸袋部５０をロッカー部３０よりも車両内側（中央側）に向けて延設することにより、排水孔８６を車両内側に偏った位置に設けるための奥側領域５８を確保している。そのため、上述した戸袋排水構造１０によれば、ロッカー部３０を車両内側方向に向けて拡大させることなく、戸袋部５０内に流入した雨水等を確実に排水させることが可能となる。
【００２２】
また、上述したように戸袋部５０を車両内側（中央側）に向けて延設すれば、ロッカー部３０（インナパネル３４）を車両内側方向に向けて拡大させる必要がなくなる。これにより、ロッカー部３０の重量増加を抑制し、ひいては車両Ａの燃費向上に資することが可能となる。
【００２３】
上述したように、戸袋排水構造１０においては、排水管６２の上端側を戸袋部５０に対して排水孔８６と連通するように接続すると共に、排水管６２の下端側をメンバー部材８０に連通させ、さらにメンバー部材８０に連通孔８６を形成することにより排水系統１００を形成している。このように、戸袋排水構造１０においては、戸袋部５０を排水管６２を介して直接的に車両Ａの外部と連通させるのではなく、メンバー部材８０を介して戸袋部５０を外部と連通させた構成とされている。そのため、戸袋排水構造１０によれば、戸袋部５０内に溜まった雨水等をスムーズに排出可能とする一方で、車両Ａの外部から戸袋部５０側に向けて雨水や、小石あるいは埃等の異物が流入することを抑制できる。
【００２４】
なお、排水系統１００は、必ずしも上述したように戸袋部５０と車両Ａの外部雰囲気との間にメンバー部材８０を介在させたものとしなくても良い。具体的には、排水系統１００は、排水孔６０あるいは排水管６２から直接外部に排水するものであっても良い。また、排水系統１００をメンバー部材８０以外の他部材を介して、車両Ａの外部に排水するものとしても良い。
【００２５】
また、メンバー部材８０は、車両Ａの車体構造をなすいかなるメンバー部材によって構成されていても良い。具体的には、メンバー部材８０として車両Ａを構成するサイドメンバ、あるいはクロスメンバを上述したメンバー部材８０として利用することが可能である。
【産業上の利用可能性】
【００２６】
本発明の戸袋排水構造は、スライドドアを備えた車両全般において利用可能である。スライドドアについては、モータ等の駆動力によってスライド動作する、いわゆるパワースライドドアの他、手動操作によりスライド動作するスライドドアとすることが可能である。
【符号の説明】
【００２７】
１０  戸袋排水構造
２０  スライドドア
３０  ロッカー部
５０  戸袋部
５２  ガイドレール
６０  排水孔
６２  排水管
８０  メンバー部材
８６  連通孔
１００  排水系統
【図１】
0005895296.tif 000002
【図２】
0005895296.tif 000003